(57)【特許請求の範囲】
【請求項１】
各無線基地局（ＢＳ；ＢＴＳ）が、幾つかの制御チャネルを含み、かつパルス幅変調リンク（ＰＣＭ）を有する接続回線を介して直接又は間接に交換局（ＭＳＣ）に接続される通信システムにおいて、前記交換局（ＭＳＣ）と、各々が与えられた幾つかのセルにサービスする幾つかの前記無線基地局（ＢＳ；ＢＴＳ）との間で制御データを通信するためのシステムであって、
前記無線基地局（ＢＳ；ＢＴＳ）に接続している接続回線の少なくとも一部は、マルチユーザ信号に対する専用の１つのディジタル及び／又はアナログ制御チャネル（ＡＣＣcd；ＤＣＣＨcd）を含み、
前記マルチユーザ信号は、１つの単一の接続に対して送信され、かつ前記無線基地局の全部の制御チャネルに対して共通な信号であり、
前記接続回線の少なくとも一部における前記交換局（ＭＳＣ；ＢＳＣ）から前記無線基地局（ＢＳ；ＢＴＳ）への前記マルチユーザ信号は、専用の制御チャネル（ＡＣＣcd；ＤＣＣＨcd）のみで送られ、
前記無線基地局（ＢＳ；ＢＴＳ）は、到来信号が前記マルチユーザ信号かどうかを調べ、もしそれが前記マルチユーザ信号であれば、前記マルチユーザ信号をその特定の無線基地局（ＢＳ）の少なくとも幾つかの他の制御チャネルへ分配する受信装置を含み、
前記セルそれぞれは、制御チャネル機能を処理するためのトランシーバ（ＴＲＸ）を含む
ことを特徴とする制御データの通信のためのシステム。
【請求項２】
請求項１に記載のシステムにおいて、
前記無線基地局（ＢＳ）は、少なくとも１個のセルと、セル当たり少なくとも１個の制御チャネルを含む
ことを特徴とする制御データの通信のためのシステム。
【請求項３】
請求項１または２のいずれかひとつに記載のシステムにおいて、
前記接続回線は、１つの専用の制御チャネルを含み、前記専用の制御チャネルはディジタル制御チャネル（ＤＣＣＨcd）である
ことを特徴とする制御データの通信のためのシステム。
【請求項４】
請求項１また２のいずれかひとつに記載のシステムにおいて、
前記接続回線は、１つの専用の制御チャネルを含み、前記専用の制御チャネルはアナログ制御チャネル（ＡＣＣcd）である
ことを特徴とする制御データの通信のためのシステム。
【請求項５】
請求項１または２のいずれかひとつに記載のシステムにおいて、
２つの専用の制御チャネルを含み、その１つはアナログ制御チャネル（ＡＣＣcd）であり、かつ１つはディジタル制御チャネル（ＤＣＣＨcd）である
ことを特徴とする制御データの通信のためのシステム。
【請求項６】
請求項１から５のいずれかひとつに記載のシステムにおいて、
前記無線基地局（ＢＳ；ＢＴＳ）は、３つのセルを備えるあるいはカバーすることを特徴とする制御データの通信のためのシステム。
【請求項７】
請求項６に記載のシステムにおいて、
前記接続回線は、３つのアナログ及び／又は３つのディジタル制御チャネルを含み、その１つのディジタル及び／又は１つのアナログ制御チャネルは専用の制御チャネル（ＡＣＣcd；ＤＣＣＨcd）である
ことを特徴とする制御データの通信のためのシステム。
【請求項８】
請求項１から７のいずれかひとつに記載のシステムにおいて、
前記接続回線は、３つ又は６つの制御チャネルを含む
ことを特徴とする制御データの通信のためのシステム。
【請求項９】
請求項１から８のいずれかひとつに記載のシステムにおいて、
前記接続回線は、パルス幅変調リンク（ＰＣＭ）を含む
ことを特徴とする制御データの通信のためのシステム。
【請求項１０】
請求項９に記載のシステムにおいて、
前記パルス幅変調リンク（ＰＣＭ）の１つのタイムスロット（ＴＳc）は、前記マルチユーザ信号のために使用される
ことを特徴とする制御データの通信のためのシステム。
【請求項１１】
請求項１から１０のいずれかひとつに記載のシステムにおいて、
前記マルチユーザ信号は、ページ信号を含み、また、前記ページ信号は専用の制御チャネル（ＡＣＣcd；ＤＣＣＨcd）でのみ送られる
ことを特徴とする制御データの通信のためのシステム。
【請求項１２】
請求項１から１１のいずれかひとつに記載のシステムにおいて、
前記受信装置は、前記無線基地局（ＢＳ；ＢＴＳ）の第１のインテリジェント受信装置（ＥＭＲＰCMU）又は拡張モジュール地域プロセッサ（ＥＭＲＰCMU）のソフトウエアを含む
ことを特徴とする制御データの通信のためのシステム。
【請求項１３】
請求項１から１２のいずれかひとつに記載のシステムにおいて、
前記第１のインテリジェント受信装置（ＥＭＲＰCMU）は、前記マルチユーザ信号を他の制御チャネルの制御チャネルプロセスへ分配し、前記他の制御チャネルは前記マルチユーザ信号をそれぞれのセルトランシーバ（ＴＲＸ）へ送る
ことを特徴とする制御データの通信のためのシステム。
【請求項１４】
請求項１から１３のいずれかひとつに記載のシステムにおいて、
前記受信装置は、マルチユーザ信号を前記特定の無線基地局の全部の制御チャネルへ分配する
ことを特徴とする制御データの通信のためのシステム。
【請求項１５】
請求項１２から１４のいずれかひとつに記載のシステムにおいて、
前記無線基地局（ＢＳ）の第１のインテリジェント受信装置は、オペレーティングシステムを含む
ことを特徴とする制御データの通信のためのシステム。
【請求項１６】
請求項１２から１４のいずれかひとつに記載のシステムにおいて、
前記無線基地局（ＢＳ）の第１のインテリジェント受信装置は、アプリケーション部分を含む
ことを特徴とする制御データの通信のためのシステム。
【請求項１７】
請求項１から１６のいずれかひとつに記載のシステムにおいて、
前記接続回線は、前記交換局（ＭＳＣ）から前記無線基地局（ＢＳ）へのマルチユーザ信号の専用の１つのディジタル及び／又はアナログ制御チャネルを含む
ことを特徴とする制御データの通信のためのシステム。
【請求項１８】
幾つかの移動局（ＭＳ）との無線通信の処理において、幾つかのセルを含む与えられた区域にサービスし、また更に交換局（ＭＳＣ；ＢＳＣ）とインタフェースを形成し、かつパルス幅変調リンク（ＰＣＭ）を有する接続回線の幾つかの制御チャネル上での前記交換局（ＭＳＣ；ＢＳＣ）とのシグナリングを行う手段を含む無線基地局（ＢＳ；ＢＴＳ）であって、
前記無線基地局（ＢＳ；ＢＴＳ）は、更にマルチユーザ信号の専用の制御チャネル上に到来する送信された制御信号の型式を検査する受信プロセッサ（ＥＭＲＰCMU）と、
各制御チャネルに対する１個の実行プロセッサ、又は制御チャネルの幾つかあるいは全部に対応する１個の実行プロセッサと、
各セルに対する少なくとも１個のトランシーバとを含み、
前記受信プロセッサ（ＥＭＲＰCMU）は、前記制御信号がマルチユーザ信号であれば、その信号を、すくなくとも幾つかの他の制御チャネルへ分配し、また、前記実行プロセッサは、前記マルチユーザ信号を各対応するトランシーバへ送達し、
前記マルチユーザ信号は、１つの単一の接続に対して送信され、かつ前記無線基地局の全部の制御チャネルに対して共通な信号である
ことを特徴とする無線基地局。
【請求項１９】
請求項１８に記載の無線基地局において、
アナログ信号のための専用の制御チャネル及び／又はディジタル信号のための専用の制御チャネルを含む
ことを特徴とする無線基地局。
【請求項２０】
交換局（ＭＳＣ）と、パルス幅変調リンク（ＰＣＭ）を有する接続回線を経由して基地局制御装置（ＢＳＣ）へグループとして接続される幾つかの無線基地トランシーバ局（ＢＴＳ）との間のマルチユーザ信号の通信のためのシステムであって、
前記接続回線は、前記基地局制御装置（ＢＳＣ）と前記基地トランシーバ局（ＢＴＳ）との間の接続回線の一部に幾つかの制御チャネルを含み、
前記基地局制御装置（ＢＳＣ）と基地局の前記無線基地トランシーバ局（ＢＴＳ）との間の前記接続回線は、マルチユーザ信号の専用の１つのディジタル制御チャネルを含み、また、前記マルチユーザ信号は、前記専用の制御チャネル（ＤＣＣＨcd）上のみで送られ、
前記マルチユーザ信号は、１つの単一の接続に対して送信され、かつ前記無線基地トランシーバ局（ＢＴＳ）の全部の制御チャネルに対して共通な信号であり、
前記マルチユーザ信号は、前記基地局の受信プロセッサにより、前記基地局制御装置（ＢＳＣ）と前記無線基地トランシーバ局（ＢＴＳ）を接続する他の制御チャネルへ分配される
ことを特徴とするマルチユーザ信号の通信のためのシステム。
【請求項２１】
少なくとも１個の交換局（ＭＳＣ；ＢＳＣ）と、各々が与えられた幾つかのセルをカバーする幾つかの無線基地局（ＢＳ；ＢＴＳ）と幾つかの移動局（ＭＳ）とを含み、前記交換局（ＭＳＣ；ＢＳＣ）それぞれが、幾つかの制御チャネルを含むパルス幅変調リンク（ＰＣＭ）を有する接続回線を経由して前記幾つかの無線基地局（ＢＳ；ＢＴＳ）に接続されるセルラー移動通信システムにおける制御チャネル上の負荷を減少させる方法において、
前記交換局（ＭＳＣ；ＢＳＣ）が、前記マルチユーザ信号に専用の１つのディジタル及び／又はアナログ制御チャネルで、該マルチユーザ信号を前記無線基地局（ＢＳ；ＢＴＳ）へ送り、
前記無線基地局の受信装置が、到来信号が前記マルチユーザ信号かどうかを検査し、もしそれが該マルチユーザ信号であれば、該マルチユーザ信号は、処理手段（ＥＭＲＰCMU）により、前記交換局（ＭＳＣ；ＢＳＣ）と前記無線基地局（ＢＳ；ＢＴＳ）を相互接続する少なくとも幾つかの他の制御チャネルへ分配し、
各セルの実行プロセッサが、前記マルチユーザ信号を前記セルそれぞれのトランシーバへ送り、
前記マルチユーザ信号は、１つの単一の接続に対して送信され、かつ前記無線基地局の全部の制御チャネルに対して共通な信号である
ことを特徴とする制御チャネル上の負荷を減少させる方法。
【請求項２２】
請求項２１に記載の方法において、
前記マルチユーザ信号は、ページ信号である
ことを特徴とする制御チャネル上の負荷を減少させる方法。
【請求項２３】
各交換局に幾つかの無線基地局（ＢＳ；ＢＴＳ）が接続される幾つかの交換局を含む移動通信システムであって、前記無線基地局それぞれは、幾つかのセルを含む与えられた区域をカバーし、セル当たり少なくとも１つの制御チャネルが設けられ、前記無線基地局と前記交換局は、制御データのための幾つかの制御チャネルを含むパルス幅変調リンク（ＰＣＭ）を有する接続回線を経由して相互接続されるものにおいて、
前記交換局（ＭＳＣ；ＢＳＣ）と前記無線基地局（ＢＳ；ＢＴＳ）の間の１つのディジタル及び／又はアナログ制御チャネルは、マルチユーザ信号の専用であり、
前記無線基地局（ＢＳ；ＢＴＳ）は、到来信号が前記マルチユーザ信号かどうかを検査する受信装置を含み、もしその到来信号がマルチユーザ信号であれば、前記受信装置は、該マルチユーザ信号を、前記無線基地局（ＢＳ）を前記交換局（ＭＳＣ）へ接続する少なくとも一部の他の制御チャネルへ分配し、
前記マルチユーザ信号は、１つの単一の接続に対して送信され、かつ前記無線基地局の全部の制御チャネルに対して共通な信号であり、
前記セルそれぞれは、制御チャネル機能を処理するためのトランシーバを含む
ことを特徴とする移動通信システム。
【請求項２４】
請求項２３に記載の移動通信システムにおいて、
前記マルチユーザ信号は、ページ信号である
ことを特徴とする移動通信システム。
【請求項２５】
請求項２３に記載の移動通信システムにおいて、
前記マルチユーザ信号は、ショートメッセージサービス信号である
ことを特徴とする移動通信システム。
【請求項２６】
請求項２３から２５のいずれかひとつに記載の移動通信システムにおいて、
当該移動通信システムは、高度移動体電話システム（ＡＭＰＳ）又はディジタル高度移動体電話システム（Ｄ−ＡＭＰＳ）である
ことを特徴とする移動通信システム。
【請求項２７】
請求項２３から２６のいずれかひとつに記載の移動通信システムにおいて、
当該移動通信システムは、ＧＳＭシステムであり、
前記専用の制御チャネルは、基地局制御装置（ＢＳＣ）と基地トランシーバ局（ＢＴＳ）の間で提供される
ことを特徴とする移動通信システム。
【発明の詳細な説明】
技術分野
本発明は、通信システムにおける交換局と幾つかの基地局との間の接続又は通信のためのシステムに関する。交換局に対して幾つかの無線基地局が配置され、これらは、その上を制御データが伝達される幾つかの制御チャネルを含む接続装置を経由して交換局に接続される。本発明は、更に、幾つかの制御チャネルを含み通信を提供する接続装置上で、交換局と通信システムの幾つかの無線基地局との間で制御データを通信する方法に関する。
本発明は、また交換局から制御データを受ける基地局に関する。さらに本発明は、少なくとも１つの交換局と、幾つかの移動局は勿論幾つかの基地局を含むセル式通信システムに関し、ここで交換局は、幾つかの制御チャネルを含む接続装置を経由して基地局に接続される。
従来技術
今日、各交換局に幾つかの基地局が接続される幾つかの交換局を含むシステムが存在する。例えば、ＥＩＡ／ＴＩＡ標準（米国電子工業会／米国電気通信工業会）によれば、基地局は交換局に対して、ＰＣＭリンクとも呼ばれるパルス符号変調リンクを経由して接続される。ＰＣＭリンクの１つのタイムスロットは制御目的専用である。移動体通信システムにおいて、基地局のカバレージは、一般的に１個のセルに分割されるか、例えば、いわゆる全方向セル分割されるか又は各各が与えられた度数を含むセクタセルと呼ばれる３個のセルに分割される。各セルに対して少なくとも１つの制御チャネルがあり、１つのディジタル制御チャネル又は１つのアナログ制御チャネルがあり得るが、またセル当たりディジタルとアナログ制御チャネルの両方があり得る。制御目的に使用されるＰＣＭ−リンクのタイムスロットは、既知のシステムにおいては、多くても３つのアナログ及び３つのディジタル制御チャネルにより共有できる。移動局に対する呼出しの場合は、移動局の識別を含む制御メッセージであるいわゆるページ信号が放送される。求める移動局を発見するためページ信号は、広い地理的区域に亘って放送されなければならず、それは全部の制御チャネルを通じて複数個ある基地局へ送られる。
セクタセルを含むセル式システムにおいては、同じページ信号が全３個（セル当たり１つだけの制御チャネルの場合）又は全６個（セル当たり１つのディジタル及び１つのアナログ制御チャネルの場合）を通じて全く同一の交換局から同じ基地局へ送られる。もし、移動局がアナログ局かディジタル局かが判らなければ、このページ信号は、ディジタル制御チャネルを通じてと同様にアナログ制御チャネルを通じて送られなければならない。１つの移動局への単一の呼出しだけでも、ロケーション区域又はページング区域全体に亘る多数のページ信号が生じる。現在、ダウンリンク制御チャネル上の、即ち、交換局から移動局へ向かう方向の信号の大部分はページ信号であり、他の信号に対する余地はほとんどないが、それは制御信号専用の単一のタイムスロットの容量は制限されるからである。ある特定の場合では、ＰＣＭリンク上のビット伝送速度は６４キロビット／秒である。この結果、交換局、例えば、移動交換センタＭＳＣと基地局の間に隘路が形成される。従って、制御目的に使用されるＰＣＭリンクのタイムスロットは、多数のページ信号の場合に、ＭＢＳサブシステムのどの外の部分の前方でも飽和するであろう。この様に、このシステムは、トラフィックが多い場合に飽和する危険がある。
ＧＳＭシステムの例では、ページングは、僅かに異なって行われる。１つの信号は、交換局又は移動交換センタＭＳＣから基地局制御装置ＢＳＣへ送られ、そして基地局制御装置ＢＳＣから制御チャネル当たり１つのページ信号が基地局（又は基地トランシーバ局）へ上に説明したのと同じやり方で送られる。従って、例えばトラフィックが多い場合に過負荷又は過密になる危険を生じるのは基地局制御装置と基地局との間の接続である。
発明の要約
交換局と幾つかの無線基地局との間の制御データ又はマルチユーザ信号の通信のための装置を提供することが本発明の目的であり、そこに交換局は基地局手段へ幾つかの制御チャネルを含む接続装置を経由して接続され、またここで接続装置上の負荷は軽減される。従って、単一の接続に対して送られなければならない信号の数を減少させるのが本発明の目的であり、これらの信号は、１つの基地局の全部の制御チャネルに対して共通かつ同一であり、これらの信号は、ここではマルチユーザ信号と呼ぶ。ユーザは、この情況では、その信号のユーザとしてのトランシーバを指す。無線基地局における受信装置、例えば処理システム上の負荷を軽減するのも本発明の目的である。特に本発明は、ページングのためのシステム、即ち、移動加入者又は移動局の位置を明確にするシステムを提供することを意図しており、このシステムは、効率的で、交換局、特に電話交換局と基地局との間のリンクである接続装置上に高い負荷を不必要に生じることがなく、また交換局は、ここでは基地局制御手段、基地局制御装置ＢＳＣをも意味する。
交換局と無線基地局との間の大きな容量をもつ接続装置を提供することもまた目的である。
本発明の他の目的は、交換局と幾つかの無線基地局との間で、多くの同時動作の場合に接続装置の過負荷の危険を減少して、例えばページ信号又はショートメッセージサービス信号の様なマルチユーザ信号（制御データ）を通信する方法を提供する。
本発明の更に他の目的は、幾つかの交換局、幾つかの無線基地局及び幾つかの移動局からなる通信システムを提供することであり、そこにページング信号又は短いメッセージサービス信号等の様なマルチユーザ信号の通信は、無線基地局を交換局に接続する接続装置の過負荷又は過密の危険を減少して効率的なやり方で実施することができ、またそこに接続装置の負荷を減少できる。
本発明はまた、上述の目的を可能にしかつ遂行する無線基地局を提供することも目的である。
他の目的と同様にこれらの目的は、交換局と幾つかの無線基地局との間で、制御データを通信するシステム及び方法を通じて達成され、そこに幾つかの制御チャネルを含む接続装置は、マルチユーザ信号に専用の１つのディジタル及び／又は１つのアナログ制御チャネルを備える。無線基地局は、到来信号がマルチユーザ信号かどうかを調べ、もしそれがマルチユーザ信号であれば、前記マルチユーザ信号をその特定の基地局の少なくとも幾つかの制御チャネルに分配する受信装置を含む。特に、マルチユーザ信号は、ページ信号を含む。特定の実施例によれば、これらは、いわゆるショートメッセージサービス信号又は他の同様な信号を含んでもよい。利点として、マルチユーザ信号は、専用の制御チャネル上に送られるだけで、他のチャネル上へは送られない。しかし、他の信号もこの制御チャネル上に送ってもよい。
本発明は、通信システムをまかなっており、接続装置上の負荷はこれを通り、接続装置は幾つかの制御チャネルを含みかつ交換局を無線基地局に接続し、専用の１つのディジタル制御チャネル又は１つのアナログ制御チャネルのどちらかあるいはアナログ制御チャネル及びディジタル制御チャネルの各々１つが、例えばページ信号、短いメッセージサービス信号又は類似物の様な与えられた種類のマルチユーザ信号のために通じている。
更に本発明は、制御データを供給する交換局と通信する無線基地局を提供し、そこに基地局は、制御目的に専用の制御チャネル上を到来する制御信号がマルチユーザ信号かどうかを調べ、もしそうであれば、マルチユーザ信号に専用の制御チャネルと同じセルに対応する他の制御チャネルへマルチユーザ信号を分配する処理手段を含んでいる。
本発明により、適当な基地局又は望んでいる移動局を発見するために送らなければならないマルチユーザ信号の数はかなり減少し、ここで全く同一の信号は、１つより多い又は２つ（例えば、移動局がアナログ局かディジタル局かが判らないときは２つに送られるかも知れない）の制御チャネル上へ、全く同一の交換局から基地局へ送る必要はなく、あるいは、例えば、ＧＳＭシステムの場合は、基地局制御装置から基地（トランシーバ）局へとなる。従って、分配又は放送しなければならないページ信号の様なマルチユーザ信号の数は既知の装置又はシステムと較べてかなり減少する。本発明の別の利点は、マルチユーザ信号による制御チャネル上の負荷の減少は、制御チャネルにおける容量を他のトラフィック事象に対して解放することであり、また基地局への接続上及び受信プロセッサ内の両方に隘路が生じるのを防止又は制限することである。
【図面の簡単な説明】
本発明は、以下に添付の図面を参照して、限定するやり方ではなく詳細に説明する。ここで、
図１  幾つかの基地局へのマルチユーザ信号の分配を図式的に示し、
図２  交換局、３個のセルをもつ基地局、及び移動局の間の通信を図式的に示し、
図３ａ  移動交換センタＭＳＣ及び移動局と通信する多重チャネルユニットをもつ基地局を図式的に示し、
図３ｂ  図３ａの多重チャネルユニットの１個の別個のチャネルユニットを図式的に示し、
図４  データ信号の内容の１例を示し、
図５  本発明により修正された基地局を図式的に示し、
図６  既知のシステム及び本発明による接続装置上の負荷の比較を示し、
図７  ＧＳＭシステムに関する実施例を示す。
発明の詳細な説明
本発明は、一般に移動体通信システムに関し、次の実施例において本発明はセル式通信システムに関して説明する。
移動体通信システムは、一般に幾つかの移動交換センタＭＳＣ、ホーム・ロケーションレジスタ、基地局ＢＳ、及び移動局ＭＳからなる。例えば、公衆加入電話網とのインタフェースを形成するのは移動交換センタＭＳＣである。幾つかの基地局ＢＳは、ディジタル及び／又はアナログ伝送路を経由して移動交換センタＭＳＣに接続される。１つの特定の基地局により覆われる区域はセル（複数）と呼ばれる。従って、ある１つの基地局は、１つより多いセルに対してサービスでき、即ち、ある１つのセルは１つの地理的区域に関係し、そこに呼出しは全く同一の無線チャネルを使用して行うことができる。ある１つの特定の移動交換センタＭＳＣに接続される複数のセルは、いわゆるＭＳＣ区域を形成すると言われる。
さて、特定の種類のマルチユーザ信号、即ちページ信号について述べる。本発明の機能は、他のマルチユーザ信号に対しても同じである。もし移動局が、交換局にその正確な位置を通知することなくＭＳＣ区域内を自由に移動することが許されると、交換センタＭＳＣはページ信号を全部の基地局に並行して送らなければならず、言い換えると、その移動局は区域内の全部のセルから並行してページされる。あるシステムにおいては、１つのＭＳＣ区域内に複数の区域を形成するいわゆるロケーション区域が導入されている。そこで、ページングは、その代わりとして、ロケーション区域内の全部のセルから並行して行われ、これはページングチャネル上の負荷を減少させる。基地局ＢＳは、それぞれチャネルユニットを含み、この各々は無線送信機、無線受信機及び制御ユニットを含む。制御ユニットは、移動交換センタＭＳＣとのデータ通信及び無線経路上の移動局ＭＳとのデータシグナリングのために使用される。移動局ＭＳは、無線送信機、無線受信機及び、基地局ＢＳ及び電話部に対するデータシグナリングのための論理演算装置を含む。
上述の様に、基地局ＢＳは、その基地局ＢＳに接近した与えられた区域内の複数の移動局ＭＳと通信できる。１つの基地局で覆われる複数のセル、即ち複数の区域は、異なる型式でよく、例えば、使用されるアンテナの種類により全方向セルあるいはセクタセルがある。全方向セルは一般に１個の全方向アンテナを含むのに反して複数のセクタセルの場合は、３個の指向性アンテナを備え各々が１つのセルを覆う。従って、セクタセルを使用すると、基地局ＢＳは３つのセルにサービスする。ここに説明されるシステムでは、移動局ＭＳは、移動交換センタＭＳＣのサービスエリア内を自由に移動し、又は、さらに特別の実施例においては、サービスエリアは幾つかのロケーション区域に分割されている。分割されないＭＳＣサービスエリアにおいては、移動局は、その位置について交換センタＭＳＣに知らせることなくその区域内を自由に移動でき、従って、交換センタＭＳＣは、前に述べた様に移動局の正確な位置を知らない。サービスエリアがロケーション区域に分割されている場合には、移動局は、移動交換センタＭＳＣに、何時１つのロケーション区域から別の区域へ移動したかを知らせ、これはロケーション区域登録としても知られている。移動加入者に対する呼出しは、第１の場合は、移動交換センタＭＳＣのサービスエリア内の全部のセルを経由して送られなければならない。もしロケーション区域の分割が適用されれば、移動局のページングはその特別のロケーション区域の全部のセルにより行われる。
更に後で述べる様に、各セルは、少なくとも１つの制御チャネルを含み、これは一般に１つのアナログ又は１つのディジタル又はアナログ及びディジタル制御チャネルの両方である。本発明によれば、もしディジタルかアナログ制御チャネルのどちらかがあれば、制御チャネルの１つは、マルチユーザ信号のための専用である。本発明の実施例によれば、１つの制御チャネルはマルチユーザ信号の専用であり、これは、ディジタルとアナログの両方の制御チャネルが存在するときは、ディジタルとアナログのどちらでもよい。このことは、ディジタルとアナログ制御チャネルの間の通信機能、即ちそれぞれの制御チャネルに関係するソフトウエア間の接続が要求される。より詳細には、最低の負荷をもつものを使用することが可能であり、この場合には、負荷制御手段を使用してもよい。もし、ディジタルとアナログの両方の制御チャネルが存在すれば、前に有利な実施例として述べた様に、１つのアナログと１つのディジタル制御チャネルをマルチユーザ信号の専用としてもよい。
本発明は、全部（例えば、３又は６しかし勿論他の数もあり得る）の制御チャネルに対して共通で同一な本質的に全ての信号に関する。このアプリケーションにおいて、これらの信号は、一般にマルチユーザ信号と呼ばれる。特別に説明される実施例ではページ信号と呼ばれるが、勿論本発明は、上述の他のマルチユーザ信号にも同様に適用される。この文脈において、（マルチ）ユーザは、信号の使用者としてトランシーバを意味する。
図１は、１つの交換局ＭＳＣから幾つかの基地局ＢＳへ移動局への１つの呼び出しのためのページ信号の分配の１例を極く図式的に示し、ここでは説明目的のため基地局への線を通して単に示される。今日の既知のシステムにおいては、どのリンク即ち接続装置も６つまでの同一のページ信号をいつでも送達しなければならず、一般に３、６は、前述の様に移動局がアナログかディジタルかが判らない場合である。
本発明の特定の実施例において、各セルは１つの制御チャネルを含む。従って、もし基地局ＢＳが、３つのセクタセル（図２を見よ）にサービスしていれば、それは３個のチャネルユニットを備える。制御チャネルは、制御データのためのみに使用される。
図２には、移動交換センタＭＳＣ、３つのセル（セクタセル）１、２、３を覆う基地局ＢＳ、及び移動局ＭＳが示される。マルチユーザ信号、この場合ページ信号は、移動交換センタＭＳＣから基地局ＢＳへ１つの専用のアナログ制御チャネル及び１つの専用のディジタル制御チャネルＡＣＣcd及びＤＣＣＨcd上でそれぞれ送られる。示された実施例では、各種類の１つの専用の制御チャネル、アナログとディジタルがあるが、例えば、それがアナログ局か又はディジタル局かに依存して、アナログ制御チャネルだけ又はディジタル制御チャネルだけとすることもできる。図３ａは、移動交換センタＭＳＣ、基地局ＢＳ、及び移動局ＭＳの間の通信を図式的に示す。基地局ＢＳは、３つのセクタセルにサービスしているので、３個のチャネルユニットＣＨＵ-がある。図３ａでは、多重チャネルユニットＣＨＵが示され、この特別の実施例では、図３ｂに示す様な３個のチャネルユニットＣＨＵ-を含む。各チャネルユニットＣＨＵ-は、制御ユニットＣＵ、送信機ＴＸ及び受信機ＲＸを含む。上述の様に、幾つかの基地局ＢＳが、パルス符号変調ＰＣＭリンクを経由して１つの交換局ＭＳＣに接続される。ＰＣＭリンクは、ここでは制御目的用に使用される１つの単一タイムスロットＴＳを単に含み、この単一のタイムスロットＴＳは、多くて３つのアナログ及び３つのディジタル制御チャネルＡＣＣ、ＤＣＣＨにより共用される。ＰＣＭリンクに関するこれらの限定は、現在の文脈において関連がある。
移動局ＭＳへの呼出しがあると、関連する移動局ＭＳを覆う基地局を発見するためにページ信号が幾つかの基地局ＢＳへ一斉送信される。このページ信号は、基地局ＢＳへ専用の制御チャネルＡＣＣcd及びＤＣＣＨcdを通じて送られる。上述の様に、特許の実施例により、もしアナログとディジタルの両方の制御チャネルがあれば、マルチユーザ信号はディジタル制御チャネル又はアナログ制御チャネルのどちらかだけに送ってもよい。もし移動局の型式が判っていれば、ページ信号は、アナログ又はディジタル制御チャネルのどちらかだけに送る。この場合、ページ信号（又はどの様な他のマルチユーザ信号）は、各基地局への１つ（上述の様な特別の実施例によりもし移動局がアナログかディジタルかが判っていなければ最大２つ）の専用の制御チャネルへ送るだけである。
基地局ＢＳへのマルチユーザ信号は、図４に示すように幾つかのデータフィールドを含む。
示された実施例において、信号フレームを検査するのは、基地局ＢＳの第１の受信装置であり、これは、例えばオペレーティングシステム又はアプリケーションでもよい。即ち、受信プロセッサユニットがデータ信号を読取り、型式フィールドは、それがマルチユーザ信号か又はより詳細には図４に例示した様なページ信号かを示す。基地局ＢＳの第１の受信装置は、信号を幾つかの又は全部の（例えば、アナログ及び／又はディジタルの、他の２つ又は４つ）制御チャネル又はセルへ分配する。これは、極めて図式的に図５に示される。ここで、２４個のタイムスロットＴＳ；ＴＳc、ＴＳc1からなるＰＣＭリンクは、基地局ＢＳに受入れられる。タイムスロットＴＳ；ＴＳc、ＴＳc1は、制御目的に使用されるタイムスロットを表す。他のタイムスロットＴＳは、音声等を含んでもよい。タイムスロットＴＳc1もまた制御目的であるが、マルチユーザ信号は含まない。（タイムスロットの数、制御目的のための制御スロットは、勿論、本発明も当然関係するそれぞれ異なるシステムにおいて異なることができる）。
基地局の拡張モジュール地域プロセッサＥＭＲＰにおける受信プロセスは、受信した信号パケットに含まれるデータ情報に関してどの行動をとるべきかを決めるため幾つかのデータフィールドの内容を読み取らなければならない。ありそうな内容は、前に既に述べた様に、とりわけ信号の型式の何らかの指示、例えば、ページ信号、又は制御プログラムプロセス、即ち制御チャネルの幾つか又は全部に分配すべき信号の型式である。もし、そのマルチユーザ信号を他の全部の制御チャネルに提供する必要がないと考えるならば、例えば、関連がない場合等は、それは他方に分配されるだけである。１つの有利な実施例によれば、どの制御チャネルも１個の実行プロセッサを含んでいるが、制御チャネルの全部又は幾つかに対して１個の共通のプロセッサでもよい。以下に受信プログラムプロセスについて簡単に説明する。信号又は制御信号は基地局ＢＳに入り、ここで交換端子盤ＥＴＢが制御目的に専用のタイムスロットＴＳc；ＴＳc1を抽出する。音声に専用のタイムスロットＴＳは、音声データバスを通りタイムスイッチＴＳＷを経由してトランシーバＴＲＸへ送られる。このことは、図５に明確には示されておらず、それは明らかであるという理由によりまた本発明に関連がないためである。制御タイムスロットＴＳc1、ＴＳc1のアドレスは、シグナリング端子地域ＳＴＲにおいて読み取られ、即ち、それらをどの拡張モジユール地域プロセッサＥＭＲＰX；ＥＭＰＲCMUへ送るべきかが決まる。ここでマルチユーザ信号に関係し制御目的のタイムスロットＴＳcは、拡張モジユール地域プロセッサＥＭＰＲCMUへ転送され、これに反し制御目的（従ってマルチユーザ信号に関係ない）の他のタイムスロットＴＳcは、同じプロセッサ（明瞭であるという理由で図５に示されない）又はＥＭＲＰXのどちらかへ転送される。実際は、非マルチユーザ信号を取り扱う１個より多いその上のプロセッサが勿論あるかも知れず、あるいはこれらの信号は大体全部ＥＭＰＲCMU等により処理されてもよいが、これはしかし本発明には関連がない。
本発明の１つの有利な実施例によれば、信号の見出しからそれがマルチユーザ信号と決定された後、マルチユーザ信号を他の２つの制御チャネルソフトウエアプロセスへ分配するのは、従って基地局（ＥＭＰＲCMUの中）の第１の受信ソフトウエアである。拡張モジュールは、信号フィールドを検査し、この信号はトランシーバＴＲＸにある最終の目的地へ転送される。表された実施例においては、どのセルも少なくとも１個のトランシーバをもち、これは制御チャネルの機能の処理の専用である。もしこの様に、ページ信号（又は別のマルチユーザ信号）が１つの制御チャネルへだけ転送されると、拡張モジユール地域プロセッサＥＭＰＲCMUはフィールド「型式」を調べ、もしそれが、例えば、ページ信号であれば、この信号は他の２つの制御チャネルプロセッサへ分配され、これは従ってソフトウエアのみでなくハードウエアも含む第１の受信ユニットＥＭＰＲCMUによりなされる。その後、各ページ信号は、３個の制御チャネルプロセッサによりそれぞれのプロセスのトランシーバへ送られる。
図５において、音声スロットＴＳは多重化インタフェースＭＩを経由してトランシーバに到着するが、これはしかし本発明の機能には必要ではなくて、単にこの様なものを含む１つの特定の実施例に関する。これは、しかし必要ではない。
図６は、接続装置であるＰＣＭリンク上の負荷を簡単に示し、これは、本発明によるシステムではリンクの負荷は１つの制御チャネル上の４つのページ信号により生じるのに較べてこれまで既知のシステムでは３つの制御チャネル上の４つのページ信号により生じる。充満した箱に充満してない箱を加えた全部の箱が従来のシステムの負荷を表わし、これ反して充満した箱が本発明によるシステムによる負荷を表わす。
図７に、別の実施例が図式で示され、ここで、関係するシステムはＧＳＭシステムである。上述の実施例と同様に、移動局ＭＳへの呼出しは、移動局ＭＳが登録されている交換局ＭＳＣ／ＶＬＲのビジタ・ロケーションレジスタへ発信される。
交換局、より詳細にはＭＳＣ／ＶＬＲは、次にページイングメッセージを移動局ＭＳへ送る。このページ信号（本発明が適用される幾つかの異なるマルチユーザ信号の１つである）は与えられた区域全体に分配（一斉送信）され、この特定の場合においては、ロケーション区域ＬＡIが、ページ信号をマルチユーザ信号（この場合はページ信号）の専用の制御チャネルＤＣＣＨCD上へ送る。示された例において、セルは３個のセクタセルであり、移動局ＭＳはディジタルであり、従って基地局制御装置ＢＳＣ当たり３個のディジタル制御チャネルＤＣＣＨがある。示されたＧＭＳ実施例において、各セルは、１組の無線チャネルで動作する基地トランシーバ局ＢＴＳをもつ。基地局制御装置ＢＳＣは、幾つかの基地トランシーバ局ＢＴＳを制御し、幾つかのＢＳＣは、１個のＭＳＣにより制御される。
既に述べた様に、本発明は、基地局ＢＳと交換局（基地局制御装置ＢＳＣ及び交換局ＭＳＣ）の間の共通あるいは同一の全部の信号に関する。より一般的には、基地局と、階層的に見て、次の高い局、例えば、基地局制御装置ＢＳＣ、又は移動交換センタＭＳＣ等との間の接続と呼ぶことができる。既に述べた１つの例はページ信号に関し、この様な信号の別の例は、マルチユーザ型式のいわゆる短いメッセージサービス信号である。
本発明では、制御チャネル（ダウンリンク、即ち交換局から移動局へ向かう）上の負荷は減少し、隘路ができる危険もまた減少する。また、基地局の受信プロセッサ上の負荷も減少し、従って、隘路がそこに生じるのを防止する。
また、他の局面において、本発明は示された実施例に限定されずに、幾つかの方法で変更することができる。例えば、それはアナログ標準にもディジタル標準にも関係し、これらのうち、ＡＭＰＳ（高度移動体電話システム）、Ｄ−ＡＭＰＳ（ディジタルＡＭＰＳ）又はＡＤＣ、ＰＤＣ、ＪＤＣ、ＧＳＭ、ＴＡＣＳ、ＰＣＳ等を挙げることができる。
【図１】
0003909442.tif 000002
【図２】
0003909442.tif 000003
【図３ａ】
0003909442.tif 000004
【図３ｂ】
0003909442.tif 000005
【図４】
0003909442.tif 000006
【図５】
0003909442.tif 000007
【図６】
0003909442.tif 000008
【図７】
0003909442.tif 000009